(57)【要約】【課題】本発明は、位置情報を効果的に管理する位置情報管理装置及び位置情報管理方法に関する。【解決手段】本発明による位置情報管理装置は、プロセッサと、当該プロセッサによりアクセスすることができ、第１の画像データ及び当該第１の画像データに対応する第２の画像データを保存するメモリーとを備え、前記プロセッサは、ユーザ端末から販売ウェブサイトに接続することによって、第１の資源位置情報に対応する前記第１の画像データを前記ユーザ端末に転送し、前記ユーザ端末の要請に応じて、コピーされて共有サーバに転送された第２の資源位置情報に対応する前記第２の画像データを変更することを特徴とする。【選択図】図１
2018005877.tif 000002
【特許請求の範囲】
【請求項１】
プロセッサと、
当該プロセッサによりアクセスすることができ、第１の画像データ及び当該第１の画像データに対応する第２の画像データを保存するメモリーと
を備え、
前記プロセッサは、
ユーザ端末から販売ウェブサイトに接続することによって、第１の資源位置情報に対応する前記第１の画像データを前記ユーザ端末に転送し、
前記ユーザ端末の要請に応じて、コピーされて共有サーバに転送された第２の資源位置情報に対応する前記第２の画像データを変更することを特徴とする位置情報管理装置。
【請求項２】
前記プロセッサは、前記第２の資源位置情報に対応する前記第２の画像データが変更される時に、前記第１の資源位置情報を無効にすることを特徴とする請求項１に記載の位置情報管理装置。
【請求項３】
前記第１の資源位置情報は、前記販売ウェブサイトの第１の内部フレームに含まれ、
前記第２の資源位置情報は、前記販売ウェブサイトの第２の内部フレームに含まれることを特徴とする請求項１に記載の位置情報管理装置。
【請求項４】
前記ユーザ端末からログインし、前記第２の内部フレームの前記第２の画像データが前記ユーザ端末によってブックマークされる場合、
前記プロセッサは、ログイン情報とブックマーク情報とをマッチングさせて前記メモリーに保存した後、前記ユーザ端末から再度ログインする時に、共有された前記第２の画像データにブックマークの表示をオーバーラップして、前記共有サーバに接続された前記ユーザ端末に表示させることを特徴とする請求項３に記載の位置情報管理装置。
【請求項５】
前記ユーザ端末からログインする場合、ユーザによってブックマークされた前記第２の画像データを前記ユーザ端末に転送することを特徴とする請求項４に記載の位置情報管理装置。
【請求項６】
前記プロセッサは、前記ユーザ端末の要請に応じて前記第２の資源位置情報をコピーし、前記共有サーバに転送することを特徴とする請求項１に記載の位置情報管理装置。
【請求項７】
ユーザ端末から販売ウェブサイトに接続することによって、第１の資源位置情報に対応する第１の画像データを前記ユーザ端末に転送する段階と、
前記ユーザ端末の要請に応じてコピーされて共有サーバに転送された第２の資源位置情報に対応する第２の画像データを変更する段階と
を備える位置情報管理方法。
【請求項８】
前記第２の資源位置情報に対応する前記第２の画像データが変更される時に、前記第１の資源位置情報を無効にすることを特徴とする請求項７に記載の位置情報管理方法。
【請求項９】
前記第１の資源位置情報は、前記販売ウェブサイトの第１の内部フレームに含まれ、
前記第２の資源位置情報は、前記販売ウェブサイトの第２の内部フレームに含まれることを特徴とする請求項７に記載の位置情報管理方法。
【請求項１０】
前記ユーザ端末からログインし、前記第２の内部フレームの前記第２の画像データが前記ユーザ端末によってブックマークされる場合、
ログイン情報とブックマーク情報とをマッチングさせてメモリーに保存した後、前記ユーザ端末から再度ログインする時に、共有された前記第２の画像データにブックマークの表示をオーバーラップして、前記ユーザ端末に表示させることを特徴とする請求項９に記載の位置情報管理方法。
【請求項１１】
前記ユーザ端末からログインする場合、ユーザによってブックマークされた前記第２の画像データを前記ユーザ端末に転送することを特徴とする請求項１０に記載の位置情報管理方法。
【請求項１２】
前記ユーザ端末の要請に応じて前記第２の資源位置情報をコピーし、前記共有サーバに転送することを特徴とする請求項７に記載の位置情報管理方法。
【発明の詳細な説明】
【技術分野】
【０００１】
本発明は、位置情報管理装置及び位置情報管理方法に関する。
【背景技術】
【０００２】
画像プラットフォームサービスは、製品の画像を販売ウェブサイトに提供するためのものである。製造企業及び販売企業は、製品の高品質な二次元（２Ｄ）及び三次元（３Ｄ）画像を自ら作製することなく画像プラットフォームサービスを用いることで得ることができる。
【０００３】
これによって、画像プラットフォームサービスを提供する企業は、販売ウェブサイトを通じて作製された高品質な２Ｄ及び３Ｄ画像を提供しなければならないことから、２Ｄ及び３Ｄ画像のための数多くの位置情報を効果的に管理する必要があった。
【先行技術文献】
【特許文献】
【０００４】
【特許文献１】韓国登録特許第１０−１５０５０３３００００号公報
【発明の概要】
【発明が解決しようとする課題】
【０００５】
本発明による位置情報管理装置及び位置情報管理方法は、位置情報を効果的に管理するためのものである。
【０００６】
本願の課題は、前記課題に制限されるものではなく、開示されていない他の課題は、当業者であれば以下の記載から明確に理解することができる。
【課題を解決するための手段】
【０００７】
本発明の一態様によれば、プロセッサと、当該プロセッサによりアクセスすることができ、第１の画像データ及び当該第１の画像データに対応する第２の画像データを保存するメモリーとを備え、前記プロセッサは、ユーザ端末から販売ウェブサイトに接続することによって、第１の資源位置情報に対応する前記第１の画像データを前記ユーザ端末に転送し、前記ユーザ端末の要請に応じて、コピーされて共有サーバに転送された第２の資源位置情報に対応する前記第２の画像データを変更することを特徴とする位置情報管理装置が提供される。
【０００８】
前記プロセッサは、前記第２の資源位置情報に対応する前記第２の画像データが変更される時に、前記第１の資源位置情報を無効にすることができる。
【０００９】
前記第１の資源位置情報は、前記販売ウェブサイトの第１の内部フレームに含まれ、前記第２の資源位置情報は、前記販売ウェブサイトの第２の内部フレームに含まれ得る。
【００１０】
前記ユーザ端末からログインし、前記第２の内部フレームの前記第２の画像データが前記ユーザ端末によってブックマークされる場合、前記プロセッサは、ログイン情報とブックマーク情報とをマッチングさせて前記メモリーに保存した後、前記ユーザ端末から再度ログインする時に、共有された前記第２の画像データにブックマークの表示をオーバーラップして、前記共有サーバに接続された前記ユーザ端末に表示させることができる。
【００１１】
前記ユーザ端末からログインする場合、ユーザによってブックマークされた前記第２の画像データを前記ユーザ端末に転送することができる。
【００１２】
前記プロセッサは、前記ユーザ端末の要請に応じて前記第２の資源位置情報をコピーし、前記共有サーバに転送することができる。
【００１３】
本発明の他の実施形態によれば、ユーザ端末から販売ウェブサイトに接続することによって、第１の資源位置情報に対応する第１の画像データを前記ユーザ端末に転送する段階と、前記ユーザ端末の要請に応じてコピーされて共有サーバに転送された第２の資源位置情報に対応する第２の画像データを変更する段階とを備える位置情報管理方法が提供される。
【００１４】
前記第２の資源位置情報に対応する前記第２の画像データが変更される時に、前記第１の資源位置情報を無効にすることができる。
【００１５】
前記第１の資源位置情報は、前記販売ウェブサイトの第１の内部フレームに含まれ、前記第２の資源位置情報は、前記販売ウェブサイトの第２の内部フレームに含まれ得る。
【００１６】
前記ユーザ端末からログインし、前記第２の内部フレームの前記第２の画像データが前記ユーザ端末によってブックマークされる場合、ログイン情報とブックマーク情報とをマッチングさせてメモリーに保存した後、前記ユーザ端末から再度ログインする時に、共有された前記第２の画像データにブックマークの表示をオーバーラップして、前記ユーザ端末に表示させ得る。
【００１７】
前記ユーザ端末からログインする場合、ユーザによってブックマークされた前記第２の画像データを前記ユーザ端末に転送することができる。
【００１８】
前記ユーザ端末の要請に応じて前記第２の資源位置情報をコピーし、前記共有サーバに転送することができる。
【発明の効果】
【００１９】
本発明による位置情報管理装置及び位置情報管理方法は、第２の画像データが変更されても、共有された第２の資源位置情報を使用し続けることで位置情報を効果的に用いることができるため、広報効果を高めることができる。
【００２０】
本出願の効果は、前記述べた効果に限定されるものではなく、記載されていない他の効果は、下記の記載から当業者に明確に理解され得るものである。
【図面の簡単な説明】
【００２１】
【図１】本発明の実施形態による位置情報管理装置を示す。
【図２】本発明の実施形態による位置情報管理装置及び販売サーバによって提供される販売ウェブサイトの一例を示す。
【図３】本発明の実施形態による位置情報管理装置及び販売サーバによって提供される販売ウェブサイトの一例を示す。
【図４】本発明の実施形態による位置情報管理装置及び販売サーバによって提供される販売ウェブサイトの一例を示す。
【図５】本発明の実施形態による位置情報管理装置によって共有された画像が変更された一例を示す。
【図６】本発明の実施形態による位置情報管理装置によって共有された画像が変更された一例を示す。
【図７】本発明の実施形態による位置情報管理装置のブックマークの操作を示す。
【図８】本発明の位置情報管理装置によって提供されるブックマークされた第２の画像データが示される一例を示す。
【図９】本発明の位置情報管理装置によって提供される第１の画像データ及び第２の画像データの一例を示す。
【図１０】本発明の実施形態による位置情報管理方法のフローチャートを示す。
【発明を実施するための形態】
【００２２】
以下、本発明の実施形態について添付した図面を参照して詳細に説明する。但し、添付された図面は、本発明の内容をさらに容易に開示するために説明するためものであり、本発明の範囲が添付された図面の範囲で限定されるものではないことは、当業者であれば容易に理解されるべきである。
【００２３】
また、本出願において用いられる用語は、単に特定の実施形態を説明するためのものであり、本発明を限定しようとする意図はない。単数形の用語は、文脈上明らかに異なる意味でない限り、複数形の用語を含む。
【００２４】
本出願において、「含む」又は「有する」等の用語は、明細書において記載された特徴、数字、段階、動作、構成要素、部品又はこれらを組み合わせたものが存在することを示すためのものであって、一又はそれ以上の他の特徴又は数字、段階、動作、構成要素、部品又はこれらを組み合わせたもの等の存在するか、或いは付加する可能性を予め排除しないものと理解されたい。
【００２５】
図１は、本発明の実施形態による位置情報管理装置１００を示す。図１に示されるように、本発明の実施形態による位置情報管理装置１００は、プロセッサ１１０及びメモリー１２０を備える。
【００２６】
本発明の実施形態による位置情報管理装置１００は、ネットワーク１３０によって販売サーバ２００及びユーザ（user）端末３００と通信を行うことができる。販売サーバ２００については、以下に詳しく説明する。
【００２７】
このようなネットワーク１３０による通信のために、本発明の実施形態による位置情報管理装置１００は、ハードウェア又はソフトウェアのうち少なくとも一からなる通信モジュール(図示しない）を備えることができ、前記通信モジュールは、汎用コンピュータに一般的に存在する構成要素であるため、これに関する詳しい説明は省略する。
【００２８】
メモリー１２０は、命令(instructions）１２１及びデータ１２２を保存してプロセッサ１１０によってアクセス可能な情報を保存し、前記データは、プロセッサ１１０によって実施されるか、或いは他の方法で用いることができる。
【００２９】
メモリー１２０は、プロセッサ１１０によってアクセスし得る情報を保存することができる任意類型の記録媒体であることができる。例えば、メモリー１２０は、ハードドライブ、メモリーカード、フラッシュドライブ、ＲＯＭ、ＲＡＭ、ＤＶＤ、又は他の光学ディスクを備えるか、或いは、書き込み可能又は読み取り専用である他のメモリーを備えることができるが、これらに限定されるものではない。
【００３０】
これに関して、メモリー１２０は、短期（short term）記憶装置（又は、一時的な記憶装置）及び長期（long term）記憶装置（又は、永久的記憶装置）のうち少なくとも何れか一つを備えることができる。
【００３１】
命令１２１は、機械語（マシンコード）のようにプロセッサ１１０によって直接的に実施されるか、或いはスクリプト（script）のように間接的に実施される命令１２１の任意のセットとなり得る。
【００３２】
命令（instructions）及びプログラムといった用語は、本明細書において互いに互換して用いられ得る。命令１２１は、プロセッサ１１０によって直接プロセッシングするためのオブジェクトコード形式（object code format）で保存され得るか、或いは、要請によって解釈されることもでき、予めコンパイルされる独立的なソースコードモジュールのスクリプト又はコレクション(collections）を含む任意の他のコンピュータ言語で保存されることもできる。
【００３３】
データ１２２は、命令に従ってプロセッサ１１０によって検索、保存又は修正され得る。例えば、任意の特定のデータ構造のみでアーキテクチァが限定されるものではないが、データ１２２は、コンピュータのレジスタに保存され得るか、或いは複数の互いに異なるフィールド及びレコード、ＸＭＬ文書又はフラットファイル(flat files）を有するテーブルで、関連データベースに保存されることもできる。
【００３４】
また、データ１２２は、コンピュータで読み取り可能な任意のフォーマットで保存され得る。また他の一例として、画像データは、グラフィックを作成するためのコンピュータの命令のみならず、ピクセルのグリッドからなるビットマップで保存され得ると共に、これは、圧縮又は解凍、無損失又は損失、及びビットマップ又はベクトル形式で圧縮或いは解凍されるフォーマットによって保存され得るが、これに限定されるものではない。
【００３５】
データ１２２は、例えば、個数（numbers）、敍述構文、専有コード（proprietary code）、同一のメモリー又は異なるメモリー（異なるネットワークの位置を含む）の他の領域に保存されたデータに関連する参照、又は関連データを算出するために関数によって用いられる情報等の関連情報を識別するに十分な任意の情報を含むことができる。
【００３６】
プロセッサ１１０は、例えば、インテル或いはAdvanced Micro Devices（ＡＭＤ）のＣＰＵを用いられ得るが、これらに限定されるものではない。他の対応案としては、プロセッサ１１０は、ＡＳＩＣのような専用コントローラが用いられ得るが、これに限定されるものではない。
【００３７】
ここで、図１において、プロセッサ１１０及びメモリー１２０は、同一のブロック内にあるものと機能的に示されているが、当該の技術分野の当業者であれば、前記プロセッサ１１０及びメモリー１２０が同一の物理的なハウジング内に配置されるか、或いは同一の物理的なハウジング内に配置されない複数のプロセッサ１１０及びメモリー１２０を実際に含むことができるという点を十分に理解されるべきである。
【００３８】
例えば、メモリー１２０は、データセンタのサーバファーム（server farm）に位置するハードドライブ或いは他の記録媒体であり得る。従って、プロセッサ１１０、コンピュータ、或いはメモリー１２０といった記載は、並列に動作することができ、或いは動作しないこともあるプロセッサ１１０、コンピュータ、又はメモリー１２０の集合に関する記載を含むと理解されるべきである。
【００３９】
本発明の実施形態による位置情報管理装置１００は、ネットワーク１３０の一つのノード（node）に位置することができ、ネットワーク１３０の他のノードからデータを直接的又は間接的に受信することもできる。
【００４０】
例えば、本発明の実施形態による位置情報管理装置１００は、ネットワーク１３０を通じて販売サーバ２００及びユーザ端末３００とデータを送信又は受信することができる。
【００４１】
例えば、位置情報管理装置１００は、ネットワーク１３０を用いてユーザ端末３００に位置情報に対応する３Ｄコンテンツを送信し、ユーザ端末３００のディスプレイ部３４０上に前記３Ｄコンテンツを表示することができる。
【００４２】
例えば、本発明の実施形態による位置情報管理装置１００は、ネットワーク１３０を通じてサムネイル画像（thumb image）、及びサムネイル画像に対応する詳細画像又は共有画像をユーザ端末３００に送信することができる。このとき、サムネイル画像、詳細画像、及び共有画像は、３Ｄ画像であり得るが、これらに限定されるものではない。
【００４３】
サムネイル画像、詳細画像、及び共有画像については、以後説明する。
【００４４】
位置情報管理装置１００とネットワーク１３０との間、ユーザ端末３００とネットワーク１３０との間、また、販売サーバ２００とネットワーク１３０との間の中間ノードは、多様な構成を備えることができ、多様なプロトコル（protocol）を用いることができる。
【００４５】
前記プロトコルは、インターネット、ワールドワイドウェブ、イントラネット、仮想プライベートネットワーク、ローカルインターネットネットワーク、一つ以上の企業が所有する通信プロトコルを用いるプライベートネットワーク、セルラー及び無線ネットワーク（例えば、ＷｉＦｉ）、インスタントメッセージ、ＨＴＴＰ及びＳＭＴＰ、並びにこれらの多様な組み合わせを含む。
【００４６】
また、図１では、いくつかのコンピュータのみが示されているが、典型的なシステムは、さらに複数の接続されたコンピュータを備えることができることを留意されたい。
【００４７】
ユーザ端末３００は、本発明の実施形態による位置情報管理装置１００と同様にプロセッサ３１０と、メモリー３２０と、命令３３０とを備えることができる。ユーザ端末３００は、ネットワーク１３０を通じて販売サーバ２００及び位置情報管理装置１００に接続可能なパーソナルコンピュータ（personal computer）、ＰＤＡ（personal digital assistants）、スマートフォン、タブレットＰＣ、又はラップトップパソコン（laptop computer）であり得るが、これらに限定されるものではない。
【００４８】
ユーザ端末３００のプロセッサ３１０、データ及び命令３３０を保存するメモリー３２０（例えば、ＲＡＭ、内部ハードドライブ、フラッシュメモリー等）、ディスプレイ部３４０（例えば、スクリーンを有するモニター、タッチスクリーン、プロジェクター、テレビ、コンピュータプリンター又は情報をディスプレイすることができる任意の他の電子デバイス）、入力部（例えば、マウス、キーボード、タッチスクリーン又はマイクロフォン等）３５０等のようなパーソナルコンピュータに関連して通常用いられる構成要素を備えることができる。
【００４９】
さらに、ユーザ端末３００は、カメラ３６０、ポジションコンポーネント（例えば、ＧＰＳモジュール）３７０、加速度計（accelerometer）（図示しない）、スピーカー（図示しない）、ネットワークインターフェイスデバイス（図示しない）、バッテリー電源３８０又は他の電源、及びこれらの構成要素を他の構成要素に接続するのに用いられる要素等を備えることができる。
【００５０】
また、図１には示されていないが、ユーザ端末３００は、ネットワーク１３０に接続するための通信モジュールを備えることができ、通信モジュールは、ハードウェア及びソフトウェアのうち少なくとも一で構築されることができる。
【００５１】
本発明の実施形態でサムネイル画像、詳細画像、及び共有画像は、販売サーバ２００に接続したユーザ端末３００のユーザに販売しようとする製品を仮想的に紹介するためのものであり得る。
【００５２】
詳細画像として、サムネイル画像の拡大画像が含まれ、製品の機能、製造企業の情報等の資源情報等がさらに含まれることができるが、これらに限定されるものではない。
【００５３】
共有画像は、サムネイル画像又は詳細画像と連関するものであり、ＳＮＳ（Social Network Services／Sites）又はブログ（blog）等を通じて一以上のユーザと共有するためのものである。
【００５４】
本発明の実施様態による様々な動作を説明する。次の動作は、以下に説明する正確な手順に沿って行われる必要はないことを理解されたい。これとは異なり、複数の段階が異なる手順に沿って或いは同時に処理されることができ、各段階は省略されてもよく、或いは追加されてもよい。
【００５５】
その一方で、メモリー１２０は、プロセッサ１１０によってアクセスすることができ、第１の画像データ及び第１の画像データに対応する第２の画像データを保存する。ここで、第１の画像データ及び第２の画像データは、２Ｄ画像ファイルであってもよく、３Ｄ画像を表示するためのポリゴン（polygon）及びテクスチャ（texture）等を含むことができるが、これらに限定されるものではない。
【００５６】
第１の画像データは、前記サムネイル画像又は詳細画像に対応し、第２の画像データは、前記共有画像に対応し得るが、これに限定されない。
【００５７】
また、図１の販売サーバ２００は、図２〜図４の販売ウェブサイトを提供するためのものであり、販売ウェブサイトは、様々な製品の紹介及び取り引きサービスを提供することができる。販売ウェブサイトは、図２及び図３と同様に第１の内部フレームを含むことができ、図４と同様に第２の内部フレームを含むことができる。
【００５８】
第１の内部フレーム及び第２の内部フレームは、本発明の実施形態による位置情報管理装置１００が提供するウェブページであることができ、販売ウェブサイト内に位置することができる。
【００５９】
すなわち、販売ウェブサイトは、販売サーバ２００によって提供され、第１の内部フレーム及び第２の内部フレームは、本発明の実施形態による位置情報管理装置１００によって提供され得る。
【００６０】
従って、ユーザ端末３００が第１の内部フレーム及び第２の内部フレームを用いる場合、ユーザ端末３００は、本発明の実施形態による位置情報管理装置１００と通信することができる。
【００６１】
このように、前記第１の内部フレーム及び第２の内部フレームは、インラインフレーム（iframe）を用いることができる。インラインフレームは、ＨＴＭＬで作成されたウェブページの任意の位置に、さらに他のＨＴＭＬ文書を作成することができる。すなわち、販売ウェブサイトのウェブページの中間にサムネイル画像、詳細画像、及び共有画像を表示するための別途のウェブページを製作することができる。
【００６２】
さらに、第１の内部フレーム及び第２の内部フレームは、サムネイル画像、詳細画像、及び共有画像のＵＲＬ情報を含むことができ、共有画像を共有するための情報を含むこともできる。
【００６３】
前記のとおり、ウェブページの内部に別途のウェブページを作製するために、第１の内部フレーム及び第２の内部フレームは、領域関連情報を含むことができる。領域関連情報は、第１の内部フレーム及び第２の内部フレームの大きさ及び販売ウェブサイト内での位置に関する情報を含むことができる。
【００６４】
また、第１の内部フレーム及び第２の内部フレームは、画像ビューアー（image viewer）を備えることができる。第１の内部フレームの画像ビューアーは、サムネイル画像又は詳細画像を表示するためのプログラムであり、第２の内部フレームの画像ビューアーは、共有画像を表示するためのプログラムであることができる。
【００６５】
ここで、画像ビューアーは、ＷｅｂＧＬ（Web Graphics Library）を通じて、３Ｄ画像形態のサムネイル画像、詳細画像、及び共有画像を表示することができる。これによって、別途のプラグイン（plug-in）を用いることなく３Ｄ画像が表示され得る。
【００６６】
また、図２及び図３に示すとおり、プロセッサ１１０は、ユーザ端末３００が販売ウェブサイトに接続することによって、第１の資源位置情報に対応する第１の画像データをユーザ端末３００に送信する。
【００６７】
すなわち、図２に示すとおり、ユーザ端末３００が販売ウェブサイトに接続されると、本発明の実施形態による位置情報管理装置１００は、第１の内部フレームの第１の資源位置情報によって、第１の画像データをユーザ端末３００に転送することができる。
【００６８】
ここで、第１の画像データは、２Ｄ画像又は３Ｄ画像形態のサムネイル画像であり得、第１の資源位置情報は、ＵＲＬ（uniform resource locator）情報を含むことができる。
【００６９】
ユーザがユーザ端末３００の入力部３５０を操作して、特定のサムネイル画像を選択することによって、ユーザ端末３００は、サムネイル画像にリンクされた詳細画像を本発明の実施形態による位置情報管理装置１００に要請する。
【００７０】
プロセッサ１１０は、サムネイル画像にリンクされた更なる第１のサポート位置情報によって、詳細画像に対応する第１の画像データをユーザ端末３００に転送する。
【００７１】
従って、図３に示すとおり、ユーザ端末３００のディスプレイ部を通じてサムネイル画像の詳細画像と共に詳細画像に対応する販売情報が表示され得る。
【００７２】
販売情報は、販売サーバ２００によって提供されてもよく、本発明の実施形態による位置情報管理装置１００により第１の内部フレームを通じて提供されてもよい。
【００７３】
ユーザ端末３００の要請があった場合、例えば、ユーザがユーザ端末３００の入力部３５０を操作して図３の共有アイコンを選択した場合、販売サーバ２００は、図４に示すとおり、第２の内部フレームが含まれる販売ウェブサイトを提供することができ、位置情報管理装置１００は、図３の第１の内部フレームに含まれる共有画像用の第１の資源位置情報によって、共有画像用の第１の画像データをユーザ端末３００に転送することができる。
【００７４】
従って、ユーザ端末３００は、図４に示すとおり、共有画像を示す第２の内部フレームを含む販売ウェブサイトを表示することができる。
【００７５】
図４の共有サービスの種類を選択することによって、プロセッサ１１０は、共有画像用の第１の画像データにリンクされた第２の資源位置情報をコピーし、コピーした第２の資源位置情報を共有サーバに転送する。
【００７６】
ここで、図４の第２の内部フレームは、第２の資源位置情報を含むことができる。例えば、コピーされた第２の資源位置情報は、第２の内部フレームのコードであってもよく、第２の内部フレームに含まれる第２の画像データＵＲＬ情報であってもよい。これによって、第２の内部フレームが共有されることができ、第２の画像データのＵＲＬ情報が共有されることもできる。
【００７７】
すなわち、図４の共有サービスの種類を選択することによって、プロセッサ１１０は、共有画像用の第１の画像データにリンクされた第２の資源位置情報をコピーし、コピーした第２の資源位置情報を共有サーバに転送する。
【００７８】
共有サービスは、フェイスブック、ツイッター（登録商標）又はカカオトークのようなＳＮＳサービス、ブログ又はＥメール等が挙げられるが、これらに限定されるものではない。ここで、共有サーバは、画像等を一以上のユーザと共有することができるＳＮＳ又はブログサービスを提供することができる。
【００７９】
図５は、第２の資源位置情報として第２の内部フレームが共有された状態を示すものであって、第２の画像データに対応する共有画像がユーザ端末３００に表示された状態を示す。
【００８０】
ここで、第２の資源位置情報が共有された状態でプロセッサ１１０は、第２の資源位置情報に対応する前記第２の画像データを変更することができる。
【００８１】
例えば、本発明の実施形態による資源情報管理装置の運営者は、製造企業Ａとの契約を通じて、製品ａの第２の資源位置情報及び第２の資源位置情報の３Ｄ画像を提供することができる。
【００８２】
その後、契約期限が満了するか、或いは契約が破棄されると、本発明の実施形態による資源情報管理装置の運営者は、製造企業Ｂとの契約を通じて、製品ｂの第２の資源位置情報及び第２の資源位置情報の３Ｄ画像を提供することができる。
【００８３】
すなわち、図６に示すとおり、前記運営者は、契約者が変わったとしても第２の資源位置情報を使い続けることができるのみならず、第２の資源位置情報は、続いて共有されている状態であるため、既存製品であるａの代わりに製品ｂの画像が複数のユーザに対して露出するようにすることができる。
【００８４】
これによって、前記運営者は、資源位置情報を各製品別に割り当てしなくてもよいため、資源位置情報を効果的に用いることができ、新たな製造企業Ｂは、製品ｂに対する広報効果を高めることができる。
【００８５】
一方、プロセッサ１１０は、第２の資源位置情報に対応する第２の画像データが変更される時に、第１の資源位置情報を無効にすることができる。前記図２〜図４において示すとおり、第１の資源位置情報に対応するサムネイル画像及び詳細画像は、販売ウェブサイトを通じてユーザ端末３００に表示されることができる。
【００８６】
従って、第１の資源位置情報に対応する製品ａが製品ｂに変われば、販売ウェブサイトのサムネイル画像及び詳細画像は、製品ａではない製品ｂになり得る。これは、様々な問題をもたらす可能性があり、例えば、販売ウェブサイトが製品ａをするためだけのサイトである場合又は製品ａの販売情報が製品ｂとマッチングされて示される可能性がある。
【００８７】
上記の問題が生じ得るため、製品ａから製品ｂに変わる時に既存の第１の資源位置情報が無効となり、新たな第１の資源位置情報を割り当てることができ、第２の資源位置情報は、前記のとおり、続けて使用することができる。
【００８８】
一方、前記のように、第１の資源位置情報は、販売ウェブサイトの第１の内部フレームに含まれ、第２の資源位置情報は、販売ウェブサイトの第２の内部フレームに含まれ得る。
【００８９】
ユーザ端末３００が本発明の実施形態による位置情報管理装置１００にログインし、第２の内部フレームの第２の画像データがユーザ端末３００によってブックマーク（bookmarking）され得る。
【００９０】
ここで、図７に示すとおり、プロセッサ１１０は、ログイン情報とブックマーク情報とをマッチングして、メモリー１２０に保存させた後、ユーザ端末３００が再度本発明の実施形態による位置情報管理装置１００にログインする時にブログ又はＳＮＳサービス等に共有された第２の画像データにブックマーク表示がオーバーラップされ、ユーザ端末３００に表示することができる。
【００９１】
すなわち、ユーザ端末３００は、位置情報管理装置１００にログインした状態でブログ又はＳＮＳサービス等を提供する共有サーバに接続することによって、共有された第２の画像データ及びブックマークを表示することができる。
【００９２】
さらに、図８に示すとおり、ユーザ端末３００は、位置情報管理装置１００にログインする場合、位置情報管理装置１００は、ユーザによってブックマークされた第２の画像データをユーザ端末３００に提供することができる。
【００９３】
一般的には、ユーザが販売ウェブサイトでブックマークをする場合、以後ユーザは販売ウェブサイトを通じて自分がブックマークした画像を確認することができる。これに対し、図７及び図８を通じて説明したとおり、本発明の実施形態による位置情報管理装置１００は、販売ウェブサイトに接続することなく、ユーザがブックマークした画像データをＳＮＳサービスを通じて提供するか、或いは本発明の実施形態による位置情報管理装置１００に接続したユーザ端末３００に提供することができる。
【００９４】
ブックマーク情報は、ブックマークが行われた画像データ、前記画像データを代表するコード、前記画像データのＵＲＬ又は前記画像データのＵＲＬを代表するアドレスコードであり得るが、これらに限定されない。
【００９５】
従って、ユーザは、ＳＮＳ又はブログ等に共有された第２の画像データを自分がブックマークしたことを確認することができる。
【００９６】
一方、図９に示すとおり、本発明の位置情報管理装置は、第１の画像データ及び第２の画像データを提供するため、ユーザ端末３００は、本発明の位置情報管理装置に接続することによって、第１の画像データ及び第２の画像データを表示することができる。
【００９７】
次に、図面を参照して、本発明の実施形態による位置情報管理方法について説明する。
【００９８】
図１０は、本発明の実施形態による位置情報管理方法のフローチャートを示す。図１０に示すとおり、本発明の実施形態による位置情報管理方法は、ユーザ端末３００が販売ウェブサイトに接続することによって第１の資源位置情報に対応する第１の画像データを前記ユーザ端末３００に転送する段階と、前記ユーザ端末３００の要請に応じてコピーされて共有サーバに転送された第２の資源位置情報に対応する前記第２の画像データを変更する段階とを備える。
【００９９】
これについては、前述のとおり、本発明の実施形態による位置情報管理装置を通じて詳しく説明したため、これに関する説明は省略する。
【０１００】
前記のとおり、本発明による実施形態を示し、前記実施形態の他にも本発明がその趣旨又は範疇から逸脱することなく他の特定形態で実施し得るという事実は、当業者であれば明らかなものである。このため、前記実施形態は、制限されるものではなく、例示的なものとみなすべきであり、これによって本発明は、上述した説明に限定されることなく、添付された請求の範囲の範疇及び当該範囲と同等な範囲内で変更され得る。
【符号の説明】
【０１０１】
１００：位置情報管理装置
２００：販売サーバ
３００：ユーザ端末
【図１】
2018005877.tif 000003
【図２】
2018005877.tif 000004
【図３】
2018005877.tif 000005
【図４】
2018005877.tif 000006
【図５】
2018005877.tif 000007
【図６】
2018005877.tif 000008
【図７】
2018005877.tif 000009
【図８】
2018005877.tif 000010
【図９】
2018005877.tif 000011
【図１０】
2018005877.tif 000012